(57)【特許請求の範囲】
【請求項１】
耐磨耗性を有する比較的硬い材料でできた消耗性外底（１）を含む柔軟型のスノーサーフィン用ブーツにおいて、
前記靴底は、凸形をした３の異なる支承区域（１０，１１，１２）、すなわち踵の領域に位置する第一の支承区域（１０）と；中足骨の領域に位置する第二の支承区域（１１）および第三の支承区域（１２）とを有し、前記第二と第三の支承区域は前記ブーツの長手方向に対して互いに側方に離間するとともに、それぞれ該ブーツの内側（ＩＮＴ）および外側（ＥＸＴ）付近に局在し、
前記外底（１）は、各々、前記第二と第三の支承区域（１１，１２）内に位置するとともに、柔軟で弾性圧縮可能な材料から成る前方内部部材（３１，３２）が挿入される、少なくとも２の前方内部溝穴（２１，２２）を含むことを特徴とするスノーサーフィン用ブーツ。
【請求項２】
前記第一の踵支承区域（１０）の全体形状が、長手方向中央垂直面（Ｐ）を横断する方向において、凸形であることを特徴とする請求項１によるスノーサーフィン用ブーツ。
【請求項３】
前記前方内部部材（３１，３２）が異なる剛性を有することを特徴とする請求項１または２によるスノーサーフィン用ブーツ。
【請求項４】
前記外底が、前記踵支承区域に後部溝穴（２０）を含み、前記溝穴には、柔軟な材料から成るとともに、良好な緩衝特性を有する後方内部部材（３０）が挿入されることを特徴とする請求項１、２または３によるスノーサーフィン用ブーツ。
【請求項５】
前記後部内部部材（３０）がエチレンビニルアセタート（ＥＶＡ）、ポリウレタン、ポリエチレンおよびポリビニルクロリド（ＰＶＣ）の中から選択した微小細胞状材料から成ることを特徴とする請求項４によるスノーサーフィン用ブーツ。
【請求項６】
少なくとも中足骨の領域で、前記靴底（１）が柔軟な外被によって形成される胴部（４）により覆われ、前記外被は接着および／または縫い付けによって前記靴底に連結されることを特徴とする請求項１ないし５のいずれか１によるスノーサーフィン用ブーツ。
【請求項７】
前記外底（１）を構成する材料が加硫ゴムおよび熱可塑性ゴムから成る群より選ばれることを特徴とする請求項１ないし６のいずれか１によるスノーサーフィン用ブーツ。
【発明の詳細な説明】
【０００１】
本発明は、スノーサーフィン用ブーツ（特に「フリーライド」や「フリースタイル」といった専門種目の実施に適した柔軟型（ソフトタイプ）のブーツ）に関する。このようなブーツは、場合によりシェル上にヒンジ連結される堅固なスリーブに一般に組み付けられる同じく堅固な外部シェルを有するアルペンサーフィン種目の実施に適した「硬質」型（ハードタイプ）の靴とは逆に、大部分が柔軟な胴部を含む。
【０００２】
これらの新種目を実施するサーファーは、益々複雑になりつつある一連の動きや空中での演技を実施し、この際に、サーファーは自分のサーフボードの前方または後方へ大きく傾斜した姿勢をとる。この場合、サーファーは、例として図１に示すように、両膝を近づける方向に脚部の一方を内側へ大きく曲げる必要がある。他方の脚部も、程度は小さいが、外側へ向けて側方傾斜を受ける。硬質型の靴の場合には、靴の長手方向面内に含まれる軸に沿ってシェル上にスポイラのヒンジ連結部を設けたとしても、このような傾斜度を得ることは不可能である。
【０００３】
図２は、脚低部の側方撓曲状態を解剖学的に示す。傾斜角αは、踵の旋回によって得られる傾斜角α１と、踝の関節を中心とする旋回によって得られる傾斜角α２の和に等しい。足部と脚部が靴の拘束なしにこのような位置をとる場合には、足が捻れて踝が側方に屈曲し、踵がその支点上で揺動するのを観察することができる。
【０００４】
硬い靴を使用する場合には、踵は、原則として、胴部の剛性のために角度α１だけ旋回することができず、踝を中心とする関節運動は、ヒンジ連結されたカラーを適合化させることによってのみ助長することができる。この硬い靴は、一般に、荷重の良好な伝達を可能にするが、「フリーライド」や「フリースタイル」のようないくつかの種目を実施する場合に脚部が屈曲運動するとき、足部と踝の自然な変形を妨げる。
【０００５】
硬い靴底を有するスキー靴に関するドイツ公開特許出願第３７４２９１８号におけるように、硬質の靴にもいくつかの改良が加えられている。この靴は、弾性特性を有して変形可能な挿入部材を受け入れるためのくり抜き部が設けられて側方で受ける衝撃の吸収を改善できるようになっている。しかしながら、このような解決方法はサーフィンの実施には適しておらず、また、サーフィンの実施に関連する側方撓曲の問題とは全く異なる緩衝の問題を扱っている。
【０００６】
オーストリー特許第２２７７／９２号は、シェルと、スリーブと、靴底（側方に並べて配設した２の弾性底部材付きの支承面を備えた靴底）とを有する「硬質」型（ハードタイプ）のサーフィン用靴に関する。この目的は、靴が中央長手方向面に対して傾斜した枢軸を中心として傾動できるようにすることである。確かに、この解決方法によれば、行われる傾動によって踝領域の靱帯をいたわることができる。しかしながら、所定の傾動軸を中心として側方に傾動するのは、全体が硬い胴部であるという点が短所である。その結果、この側方の弛緩により、また硬質シェル内部での足の保持により感覚が大きく失われ、このことは最終的に一連の動きの中でサーフボードの操縦を妨げる。
【０００７】
本発明の目的は、上述の諸問題に対する解決方法を提供することである。特に、本発明は、「フリースタイル」や「フリーライド」の実施に関連する演技の実行のために脚部の側方の移動性を非常に大きくできるようにするとともに、足の自然に捻れた位置やならびに踝の関節部分でのこの踝の撓曲を尊重するブーツを提案することを目的とする。他の１つの目的は、求める作用に反することになるであろう靴全体の傾動ではなく、ブーツ内部での足の可能な限り自然な移動に追従できるようにすることにより、サーファーの足が受け取るすべての感覚と情報を同時に保つことである。
【０００８】
このために、本発明は、耐磨耗性のある比較的硬い材料でできた消耗性外底を含む柔軟型（ソフトタイプ）のスノーサーフィン用ブーツに関する。この靴底は、下記のような凸形をした３の異なる支承区域を有する：
−  踵の領域に位置する第一の支承区域。
−  中足骨の領域に位置する第二と第三の支承区域。これら両区域は、ブーツの長手方向に対して互いに横方向に離間し、それぞれブーツの内側および外側付近に局在する。
上記の外底は、各々、上記第二と第三の支承区域内に位置するとともに、柔軟で弾性圧縮可能な材料から成る前方内部部材が挿入される少なくとも２の前方内部溝穴を含む。
【０００９】
実際、これら３の支承区域は、裸足の解剖学的主要支点に相当する。
【００１０】
本発明のもう１つの特徴によれば、第一の踵支承区域は、長手方向中央垂直面を横断する方向に、全体形状が凸形をしている。この結果、角α１だけ踵の側方揺動が有利になる。
【００１１】
さらに他の特徴によれば、前方内部部材は比較的様々な硬さ特性を有する。支持区域は互いに離れているので、必要に応じて異なる特性をもつ部材によってブーツ内でのつま先の移動性を制御できるのが有利である。
【００１２】
本発明の補足的特徴によれば、外底は、踵支承区域に、後部溝穴を含み、この溝穴に柔軟な材料でできていて、かつ、良好な緩衝特性を有する後方内部部材が挿入される。踵区域における緩衝作用は、ジャンプの着地の際に、使用者に補足的な快適さを与える。
【００１３】
本発明の他の特徴および利点は、非限定的な例として本発明の実施態様を示す添付の図面を参照して、以下に述べる説明から明らかとなろう。
【００１４】
図３に示すブーツは、サーフィン実施用のものである。このブーツは、意図的にありふれた型で示されているが、一般に専門家が「柔軟」なブーツと呼ぶ胴部分を有する。
【００１５】
一般に、このようなブーツは、後程詳述する消耗性外底１と、ふくらはぎ上で多少とも情報に伸びることが可能な内靴（インナーブーツ）形をした柔軟で詰め物（パッド）を入れた内側部分２と、同じく大きな柔軟性を有するが、踵革（あるいはさらに、補強用挿入物またはヒンジ連結された内部または外部スポイラ）を備えることのできる、「胴部」と呼ばれる外側部分３とを有する。このようなブーツの構造は、ドイツ公開特許第４３３３５０３号あるいはまた本出願人名義のフランス特許出願第９４０８８７２号各明細書において各種の態様にしたがって詳述されている。
【００１６】
本発明によるブーツ底１は、対磨耗性を有する硬い材料で製作される。この底は、ほぼ支持三角形６を構成する互いに独立した別個の３の支承区域１０、１１、１２を含み、これにより、ブーツは、がたつきの恐れなしに、その支持体に対して唯一の位置に休止状態で置かれる。この点についての欠陥は加硫または射出によって得られるスポーツ靴の底に頻繁に見られる。
【００１７】
また、この靴底は、中足骨の領域と踵の領域との間に局在する引掛け手段５を有する。この手段は中央にあること、すなわち、前方支承区域１１、１２と踵支承区域１０との間で、支持三角形６の内部に位置するのが好ましい。引掛け手段５は、本出願人名義のフランス特許出願第９３０６００６号および同第９４０８８７２号各明細書の対象となったサーフボード上にブーツを保持するためのユニットの一部分を成す。図３および図４に示す詳細な例において、靴底の引掛け手段５は、この靴底の中心軸Ｉ−Ｉ′によって具体化される長手方向を横断する方向のくり抜き部５０と、該靴底の中心軸Ｉ−Ｉ′の長手方向に沿う形材５１とを含む。
【００１８】
ここでは図示されないが、この装置の他の部分は、くり抜き部５０と共働するための補完形状と、形材５１と共働するためのロック部材とを含む。
【００１９】
もちろん、引掛け手段５は、図示されている長手方向の中心軸Ｉ−Ｉ′に対して外側（ＥＸＴ）または内側（ＩＮＴ）に多少ずれていてもよい。
【００２０】
３の支承区域１０、１１、１２と、ほぼ支持三角形６の内部に局在する引掛け手段５を組み合わせることにより、「バックサイド」あるいは「フロントサイド」の方向転換を行う上で有利なようにサーフボードに対し前方または後方支承の剛性に直接関与する様々な組合せ、あるいはまた、特に空中でいくつかの演技を行うための撓曲または側方保持の諸特性に関与する様々な組合せが定められる。
【００２１】
外底１は、当業者に公知で、かつ、図５および図６で示すように、その周囲で高くなった縁部１３を有することを特徴とする皿形の底であるのが好ましい。更に、この底は、内部に、中足骨の領域で２の支承区域１１、１２内に局在する２の前方溝穴２１、２２を含む。これらの溝穴には、柔軟で弾性圧縮可能な材料から成る前方内部部材３１、３２が挿入される。これら前方内部部材は、比較した場合に異なる機械的特性を有し、場合により内側または外側でつま先の運動を助長するのが好ましい。特に、これらの部材は、異なる硬さ特性を有する。
【００２２】
また、求める作用、サーファーの体格、あるいはまた、支承区域において求める感度に応じて、これらの部材の形状、柔軟性あるいはまた厚みを適合化させてもよい。
【００２３】
踵支承区域１０で、靴底は、後方溝穴２０をも含み、この溝穴には、柔軟で良好な緩衝特性を有する材料から成る後方内部部材３０が挿入される。このような部材は、エチレンビニルアセタート（ＥＶＡ）、ポリウレタン、ポリエチレンおよびポリビニルクロリド（ＰＶＣ）の中から選択するのが好ましい、ポリマーマトリクス型微小細胞状（ポーラス）材料で作られる。硬さおよび比重は、求める圧縮緩衝作用に応じて変えることができる。
【００２４】
踵支承区域１０は、図６で示すように、側方撓曲の際に一方側または他方側へ踵が揺動するのを助長するため、中心軸Ｉ−Ｉ′の長手方向に対してこれを横断する方向に全体形状が凸形をしている。
【００２５】
所定の支承区域１０、１１、１２における靴底の外面は、特に、歩行の際のグリップ力を改善するための凸形または凹形の細縞８を有してもよい。
【００２６】
図５から図８に示す靴の内部構造は、本発明の本質的構成手段のみを示すために意図的に単純化したものである。特に、このブーツは、取付用内部敷き革と清潔用敷き革をも備えうることは言うまでもない。
【００２７】
また、内靴を挿入して、この内靴の内部に足の内部締付け装置を設けてもよい。
【００２８】
図７および図８は、異なる支承区域の箇所に側方撓曲付勢が掛かる場合のブーツの挙動を示す横断面図である。中足骨の領域において、ブーツの前部分は、撓曲時に、長手方向の中央垂直面Ｐに対して傾かず、単に、足７の前部がブーツの内部で動くとともに、弾性変形可能な材料から成る部材３２内の１つに圧力を加える。足の運動を助長するために、この靴底は、少なくとも中足骨の領域において、接着および／または縫い付けによって縁部１３に連結される柔軟な外被で形成される胴部４により覆われる。
【００２９】
逆に、踵支承区域１０において、側方撓曲は、靴底の凸形状によって助長される該靴底の部分の転動を生じさせ、この結果、図８に示すように、面Ｐに対して踝／ブーツ全体の傾斜α１が得られる。
【００３０】
図９は、脚部の枢動後、支持三角形６が別の三角形６０へ変化する状態を概略的に示すものである。最初の三角形６は、支承区域１０、１１、１２内に含まれるそれぞれの支点１００、１１０、１２０によって画成される。枢動の後、支点１００のみが、踵支承区域１０の内部で踵の転動の作用により実際に移動して転１００ｂとなる。もちろん、ここでは原理を説明しているのであり、実際には、１００、１１０、１２０はサーファーの荷重に応じていずれかの方向に極めて僅かに移動する場合がある。同様に、厳密に言えば、靴底の圧縮変形を考慮すると、実際には、これは本来の意味での支点ではなく、むしろ、定められた支承区域に近い輪郭を有する支承面である。
【００３１】
外底の構成材料については、加硫ゴムおよび熱可塑性ゴムから成る群より選択する。
【００３２】
言うまでもなく、本発明は、以上説明した実施態様にのみ限定されるものではなく、冒頭の特許請求の範囲に入りうる同等の技術を全て含む。
【図面の簡単な説明】
【図１】通常の実演におけるサーファーの姿勢を示す概略図である。
【図２】図１のサーファーの右足の位置を示す解剖学的な概略図である。
【図３】本発明によるサーフィン用ブーツの下方斜視図である。
【図４】本発明のサーフィン用ブーツの底を示す底面図である。
【図５】図４のＡ−Ａ線に沿ってみた断面図である。
【図６】図４のＢ−Ｂ線に沿ってみた断面図である。
【図７】図１のサーファーの姿勢において脚部が側方へ撓曲のする場合を示す図４のＡ−Ａ線に沿ってみた図５に類似の概略断面図である。
【図８】図７と同じ構成において図１のＢ−Ｂ線に沿ってみた概略断面図である。
【図９】サーファーの脚部が枢動した後、支持三角形が変化する状態を示す図１に類似の概略図である。
【符号の説明】
１  消耗性外底
４  胴部
１０、１１、１２  支承区域
２０  後部溝穴
３０  後方内部部材
３１、３２  前方内部部材
【図１】
0003701384.tif 000002
【図２】
0003701384.tif 000003
【図３】
0003701384.tif 000004
【図４】
0003701384.tif 000005
【図５】
0003701384.tif 000006
【図６】
0003701384.tif 000007
【図７】
0003701384.tif 000008
【図８】
0003701384.tif 000009
【図９】
0003701384.tif 000010